(57)【特許請求の範囲】
【請求項１】
顧客本人の印鑑、代理人印鑑、旧印鑑の印影を印影マスタとしてキー情報と共に登録した印影サーバに接続され、
１枚の帳票に対して、帳票上のキー情報で特定される本人印鑑、代理人印鑑、旧印鑑の印影マスタを前記印影サーバから取得し、
前記帳票上の印影と前記取得した全ての印影マスタとの照合処理を行って、それぞれの照合結果を判定し、
全ての判定が終わった時点で取得した前記全ての印影マスタを表示し、その印影マスタの中から最適であると判定された印影マスタを帳票上の印影と並べて表示することを特徴とする印鑑照合装置。
【請求項２】
請求項１において、
取得した全ての印影を表示する際に、最適と判定した順番に並べて表示することを特徴とする印鑑照合装置。
【請求項３】
請求項１において、
取得した全ての印影を表示する際に、本人として登録されている印影を最優先にした順番に並べて表示することを特徴とする印鑑照合装置。
【０００１】
【発明の詳細な説明】
【発明の属する技術分野】
本発明は、金融機関における印鑑照合システムに組み込まれた印鑑照合装置に関するものである。
【０００２】
【従来の技術】
印鑑照合システムは、印鑑照合装置で帳票上の印鑑イメージを取得し、オペレータの指示により、あらかじめ印鑑サーバに登録されている本人の印影マスタの印影を取り出し、前記取得した帳票上の印鑑イメージと印影マスタの本人印影とを照合処理するものである。
もし、照合結果が一致しなかった場合は、オペレータは印鑑照合装置を操作し、改めて印鑑サーバより代理人等別の印影マスタを探してこれを取り出させ、照合処理を行っていた。
【０００３】
【発明が解決しようとする課題】
従来の技術では、照合処理の結果、伝票上の印鑑イメージが印影マスタの本人印影と合致しない場合、オペレータは、帳票のイメージと本人の印影マスタを比較して、名前が違っていればこれは代理人による取引である、印鑑が違っていればこれは改印があった等と判断して、改めて印鑑サーバより印影マスタを探して取り出し、照合処理を行っていた。このため、オペレータの操作負担が大きく、処理時間もかかるという問題があった。
【０００４】
【課題を解決するための手段】
上述した課題を解決するため、本発明の印鑑照合装置は、顧客本人の印鑑、代理人印鑑、旧印鑑の印影を印影マスタとしてキー情報と共に登録した印影サーバに接続され、１枚の帳票に対して、帳票上のキー情報で特定される本人印鑑、代理人印鑑、旧印鑑を含む印影マスタを取得し、前記帳票上の印影と前記取得した全ての印影マスタとの照合処理を行って、それぞれの照合結果を判定し、全ての判定が終わった時点で前記取得した全ての印影を表示し、その印影の中から最適であると判定された印影を帳票上の印影と並べて表示することを特徴とする。
【０００５】
【発明の実施の形態】
図１は本発明の印鑑照合システムの実施の形態の一例を示すブロック図である。
印鑑照合システムは、印鑑照合装置１とスキャナ２、およびネットワーク３を介して印鑑照合装置１と接続される印影サーバ４により構成される。
印影サーバ４には、口座番号等をキー情報として、本人の印影、代理人がいる場合はこれに加えて代理人の印影をそれぞれ印影マスタとして登録し、さらには本人や代理人の旧印影がある場合にはこれも印影マスタとして登録しておく。そして、キー情報で特定される複数の印影マスタを送出可能となっている。
【０００６】
スキャナ２は、帳票を光学的に読み取り、イメージデータを取得する。
印鑑照合装置１は、以下の要素から構成される。
すなわち、５は帳票イメージ格納部で、スキャナ２で取得した帳票イメージを格納する。６はキー情報切出部で、帳票イメージからキー情報を切り出す。７はキー情報認識部で、切り出されたキー情報を文字情報に変換する。８は印鑑キー格納部で、文字情報に変換されたキー情報を格納する。
【０００７】
９は印影切出部で、帳票イメージから被照合印影の部分を切り出す。１０は印影格納部で、切り出された印影を格納する。
１１は印影マスタ格納部で、前記キー情報を基に印影サーバ４に要求して取得した印影マスタを格納する。１２は照合処理部で、印影マスタ格納部１１に格納した印影マスタと印影格納部１０に格納した帳票から取得した印影を照合する。
１３は照合結果リスト格納部で、印影マスタと帳票から取得した印影の照合結果を格納する。
【０００８】
１４は照合結果判定部で、照合結果の評価および判定を行う。
１５は印鑑キー表示部で、文字情報に変換されたキー情報を表示する。
１６は印鑑キー変更操作部で、キー情報の変換操作を受け付ける。
１７は照合印影表示部で、印影マスタと帳票から取得した印影を表示する。
１８は照合印影切替操作部で、照合対象の印影マスタの表示切り替えを受け付ける。
【０００９】
１９は操作履歴取得部で、キー情報の変更、照合印影の切り替え等、オペレータの操作履歴を取得する。
以下に動作を説明する。
印鑑照合を行う被照合印影を有する帳票のイメージは、スキャナ２を介して帳票をスキャンすることにより、印鑑照合装置１の帳票イメージ格納部５に取り込まれる。
帳票イメージ格納部５の帳票イメージは、キー情報切出部６、印影切出部９にそれぞれ送られ、キー情報切出部６は、例えば、店番号、科目、口座番号等のイメージ部分を切り出し、そのイメージ部分のデータがキー情報認識部７で文字情報に変換され、印鑑キー格納部８にキー情報として格納されるとともに、文字情報に変換されたキー情報は照合結果判定部１４にも送られる。
【００１０】
印影切出部９は、帳票イメージから被照合印影の部分を切り出し、印影格納部１０に格納する。
図２は帳票と切り出し結果の一例を示す説明図で、帳票イメージから、口座番号の部分がキー情報として切り出される。切り出されたキー情報は、文字情報に変換される。また、帳票イメージからは印影の部分が切り出される。なお、図２の例では、帳票上のキー情報は口座番号のみであるが、これ以外の種類の帳票では、口座番号以外に、店番号が記入される欄や科目が記入される欄もキー情報として切り出され、それぞれ文字情報に変換される。以下の説明では、キー情報は口座番号、店番号、科目の３つとする。
【００１１】
印鑑照合装置１は、印鑑キー格納部８に格納したキー情報、ここでは、口座番号、店番号、科目を基に、ネットワーク３を介して印影サーバ４に印影マスタの取得要求を出す。この取得要求では、印影マスタはキー情報で特定される本人の印鑑だけでなく、代理人の登録がある場合はその印鑑、さらには改印が行われた場合における改印前の印鑑等、キー情報に対応して登録されている全ての印影マスタを要求する。
ここで、照合結果判定部１４は、文字情報に変換したキー情報を後述するように印鑑キー表示部１５に表示するとともに、印鑑キー変更操作部１６での変更操作を受け付ける状態にする。そして、キー情報の変更操作が行われた場合は、変更後のキー情報を印鑑キー格納部８に格納し直すとともに、印影マスタ要求中であれば要求を中止し、再度新たなキー情報による取得要求を出す。
【００１２】
ネットワーク３を介して取得した印影マスタは、本人、代理人１、代理人２等それぞれ個別に照合処理部１２に送り、照合処理され、それぞれの照合結果を照合結果リスト格納部１３に格納する。
照合結果リスト格納部１３の照合結果情報は、逐次照合結果判定部１４に送られ、照合結果の評価および判定を行い、すべての印影マスタの判定が終わった時点で、最適な印影マスタをマスタ印影として最初に照合印影表示部１７に表示する。
さらに、取得済の印影マスタを最適と判断した順番、あるいは本人として登録されている印影マスタを最優先にした順番等で並べて照合印影切替操作部１８に表示し、本人、代理人、旧印鑑等の切り替え操作を可能にする。
【００１３】
照合印影切替操作部１８にて切り替えの指示があった場合は、照合結果判定部１４により照合印影表示部１７に表示する印影マスタを切り替える。
そして、照合結果判定部１４は、最初のキー情報、キー情報変更履歴、各印影マスタの照合結果、照合印影切り替え履歴等を操作履歴取得部１９に送り、オペレータの操作履歴を残す。
図３は印鑑照合装置の画面の一例を示す説明図で、印鑑キー表示部１５、印鑑キー変更操作部１６、照合印影表示部１７および照合印影切替操作部１８は、印鑑照合装置のディスプレイ上の画面として構成され、同一画面に表示される。印鑑キー表示部１５と印鑑キー変更操作部１６は同一エリアにあって、データ化されたキー情報が表示され、これをテンキー等の入力で変更可能となっている。
【００１４】
この数値が変更されると、これが印鑑キー格納部８に格納され、新たなキー情報による取得要求を出す。
照合印影切替操作部１８は、キー情報を基に取得した印影マスタをこれが複数ある場合並べて表示するもので、マウス等の操作でオペレータは所望の印影マスタを選択可能である。
照合結果判定部１４は、照合印影表示部１７に、帳票より取得した印影と、まずは最適であると判断された印影マスタの印影を表示する。印影マスタの印影は、前記照合印影切替操作部１８の操作で切り替えることが可能で、各印影マスタ毎に、その照合結果も表示される。
【００１５】
このように、キー情報で特定される印影マスタが複数存在する場合、それぞれ帳票の印影との照合がなされ、オペレータは、照合結果を確認するだけで済むので、代理人がいる場合等でも、オペレータの操作無しで照合および照合結果の表示が行われ、オペレータの操作負担を軽減し、処理時間も大幅に短縮することが可能となる。
【００１６】
また、キー情報を基に取得した全ての印影マスタを表示するので、照合結果ＮＧの場合等も、オペレータは自身の判断で印影サーバ４を検索して、該当しそうな印影マスタを探すというような操作が不要である。さらに、履歴を残すことで、キー情報を変更した場合等の過去の照合結果を参照することが可能となり、やはり、照合結果ＮＧの場合に、オペレータは自身の判断で印影サーバ４を検索して、該当しそうな印影マスタを探すというような操作が不要である。これにより、オペレータの操作負担を軽減し、処理時間も大幅に短縮することが可能となる。
【００１７】
なお、本実施の形態では、帳票イメージ格納部１に帳票イメージを取り込む手段として、スキャナ２を用いているが、別のシステムですでにイメージ化されたデータとして作成されているものを、取り込むようにしてもよい。
よって、印影切出部９においても、すでに切り出し済のデータがあれば、それを直接印影格納部９に格納してもよい。
同様に、キー情報がすでに文字情報になっているものが確定していれば、その情報を直接印鑑キー格納部８と照合結果判定部１４に送るようにしてもよい。
【００１８】
また、複数枚の帳票を連続処理することを考慮し、帳票１枚毎に図３に示す画面を表示するのではなく、照合結果を別途蓄積し、一覧表示またはリスト出力することに一括して照合結果を確認可能とし、その中から所望の照合結果を選択することで、図３に示す画面を表示するようにしてもよい。
さらに、印影サーバ４に対して印影マスタを要求する際、例えば「改印後１年を経過した旧印鑑は対象としない」等の条件を設定可能とすることで、照合対象を絞り込むことが可能となり、処理時間の短縮が図れる。
【００１９】
【発明の効果】
以上説明したように、本発明は、印鑑照合装置において、顧客本人の印鑑、代理人印鑑、旧印鑑の印影を印影マスタとしてキー情報と共に登録した印影サーバに接続され、１枚の帳票に対して、帳票上のキー情報で特定される本人印鑑、代理人印鑑、旧印鑑を含む印影マスタを取得し、前記帳票上の印影と前記取得した全ての印影マスタとの照合処理を行って、それぞれの照合結果を判定し、全ての判定が終わった時点で前記取得した全ての印影を表示し、その印影の中から最適であると判定された印影を帳票上の印影と並べて表示するものとしたので、いくつかの印鑑が登録されている場合でも、自動的に最適な印鑑との照合がなされる。これにより、オペレータの操作負担を軽減し、処理時間も大幅に短縮することが可能となる。
【００２０】
【図面の簡単な説明】
【図１】本発明の印鑑照合システムの実施の形態の一例を示すブロック図
【図２】帳票と切り出し結果の一例を示す説明図
【図３】印鑑照合装置の画面の一例を示す説明図
【符号の説明】
１ 印鑑照合装置
４ 印鑑サーバ
８ 印鑑キー格納部
１１ 印影マスタ格納部
１４ 照合結果判定部
１５ 印鑑キー表示部
１６ 印鑑キー変更操作部
１７ 照合印影表示部
１８ 照合印影切替操作部
１９ 操作履歴取得部
【図１】
0004273619.tif 000002
【図２】
0004273619.tif 000003
【図３】
0004273619.tif 000004